(57)【特許請求の範囲】
【請求項１】
測定対象の樹木の一部に所定の時間継続して振動を与える振動付与手段と、
樹木の他の一部に伝わる振動を検出する振動検出手段と、
検出した振動から得られる振動伝達特性に基づいて樹木の内部情報に関する特性データを算出する特性データ算出手段と、
を備えた樹木の特性測定装置において、
測定対象の樹木の一部に与える振動は、エネルギーがほぼ一定で、かつ、周波数が100Hzから10KHzまでの範囲でスイープする低周波信号、もしくは、ホワイトノイズ信号、もしくは、ピンクノイズ信号の何れか１つの信号に基づいた振動であり、
振動付与手段により振動を与える部位と振動検出手段により振動を検出する部位とが、樹木の平断面の中心点に対してほぼ対称の位置に設定されており、
データ算出手段が算出する特性データとは、第２共鳴周波数及び第３共鳴周波数、並びに第２共鳴周波数に対する第３共鳴周波数の比であることを特徴する樹木の特性測定装置。
【請求項２】
データ算出手段は、さらに、第２共鳴周波数及び第３共鳴周波数のそれぞれから振動が測定対象の樹木を伝わる速さである振動速度を特性データとして算出する請求項１に記載の樹木の特性測定装置。
【請求項３】
振動付与手段が付与する振動をモニターする振動モニター手段を備え、
データ算出手段は、モニターされた振動の信号と検出された振動の信号との位相の差を特性データとして算出する請求項１または２記載の樹木の特性測定装置。
【請求項４】
測定対象の樹木の一部に所定の時間継続して振動を与え、該振動が樹木の他の一部に伝わる振動を検出し、検出した振動から得られる振動伝達特性に基づいて樹木の内部情報に関する特性データを算出する樹木の特性測定方法であって、
測定対象の樹木の一部に与える振動は、エネルギーがほぼ一定で、かつ、周波数が100Hzから10KHzまでの範囲でスイープする低周波信号、若しくは、ホワイトノイズ信号、もしくは、ピンクノイズ信号の何れか１つの信号に基づいた振動であり、
測定対象の樹木に振動を与える部位と該振動を検出する部位とが、樹木の平断面の中心点に対してほぼ対象の位置に設定されており、
算出される特性データが、第２共鳴周波数及び第３共鳴周波数、並びに第２共鳴周波数に対する第３共鳴周波数の比であることを特徴とする樹木の特性測定方法。
【請求項５】
算出された第２共鳴周波数及び第３共鳴周波数から振動が測定対象の樹木を伝わる速さである振動速度を算出する請求項４に記載の樹木の特性測定方法。
【請求項６】
測定対象の樹木に与えられる振動をモニターし、検出された振動の信号とモニターされた振動の信号との位相の差を算出する請求項４または５記載の樹木の特性測定方法。
【発明の詳細な説明】
【技術分野】
【０００１】
本発明は、振動を用いて樹木の幹内部の特性を測定する技術に関する。
【背景技術】
【０００２】
従来から、樹木の幹内部の特性、例えば幹内部の腐朽の程度や節の有無等を測定するための方法としては、測定対象の樹木を打撃する方法やレジストグラフ法等が用いられている。
【０００３】
樹木を打撃する方法は、測定対象の樹木の幹を打撃によって振動させ、その振動を検出する。そして、検出した振動の信号に対してフーリエ解析を行うことによって振動スペクトル等を得て幹内部の腐朽の程度や節の有無を測定するものである。一方、レジストグラフ法は、測定対象の樹木の幹に穴を開けて幹内部の腐朽の程度や節の有無等を測定するものである。
【０００４】
なお、本発明者らの１人によって測定対象の樹木の幹に振動を与えることにより、樹木の含水率を測定する方法が提案されている（特許文献１参照）。
【特許文献１】特開２００７−７１８２８号公報
【発明の開示】
【発明が解決しようとする課題】
【０００５】
しかしながら、樹木を打撃する方法は、打撃によって励起される振動がわずか50ミリ秒程度しか持続しない。そのため、測定対象の樹木から十分な振動スペクトル等の特性データを得ることができず精度の高い測定ができない恐れがある。一方、レジストグラフ法では、樹木の幹に直径５ミリの穴を開けるためその穴が原因で測定した樹木が病原菌等に感染する恐れがある。
【０００６】
しかるに、特許文献１に記載の技術は、樹木の含水率を測定するものであり、幹内部の腐朽の程度や幹内部の節の有無等の測定を行うには、依然として、樹木の幹に打撃を与える方法やレジストグラフ法を用いるしかない。
【０００７】
本発明は、上記課題に鑑みてなされたものであり、測定対象の樹木の幹に穴を開けるといった測定対象の樹木を破壊することなく、かつ、測定対象の樹木から精度の高い測定を行うために必要な特性データを得ることができる樹木の特性測定装置並びに樹木の特性測定方法を提供することを課題とする。
【課題を解決するための手段】
【０００８】
上記課題は、以下の手段によって解決される。
測定対象の樹木の一部に所定の時間継続して振動を与える振動付与手段と、
樹木の他の一部に伝わる振動を検出する振動検出手段と、
検出した振動から得られる振動伝達特性に基づいて樹木の内部情報に関する特性データを算出する特性データ算出手段と、
を備えた樹木の特性測定装置において、
測定対象の樹木の一部に与える振動は、エネルギーがほぼ一定で、かつ、周波数が100Hzから10KHzまでの範囲でスイープする低周波信号、もしくは、ホワイトノイズ信号、もしくは、ピンクノイズ信号の何れか１つの信号に基づいた振動であり、
振動付与手段により振動を与える部位と振動検出手段により振動を検出する部位とが、樹木の平断面の中心点に対してほぼ対称の位置に設定されており、
データ算出手段が算出する特性データとは、第２共鳴周波数及び第３共鳴周波数、並びに第２共鳴周波数に対する第３共鳴周波数の比であることを特徴する樹木の特性測定装置。
【０００９】
請求項２では、
データ算出手段は、さらに、第２共鳴周波数及び第３共鳴周波数のそれぞれから振動が測定対象の樹木を伝わる速さである振動速度を特性データとして算出する請求項１に記載の樹木の特性測定装置とする。
請求項３では、
振動付与手段が付与する振動をモニターする振動モニター手段を備え、
データ算出手段は、モニターされた振動の信号と検出された振動の信号との位相の差を特性データとして算出する請求項１または２記載の樹木の特性測定装置とする。
【００１０】
請求項４は、
測定対象の樹木の一部に所定の時間継続して振動を与え、該振動が樹木の他の一部に伝わる振動を検出し、検出した振動から得られる振動伝達特性に基づいて樹木の内部情報に関する特性データを算出する樹木の特性測定方法であって、
測定対象の樹木の一部に与える振動は、エネルギーがほぼ一定で、かつ、周波数が100Hzから10KHzまでの範囲でスイープする低周波信号、若しくは、ホワイトノイズ信号、もしくは、ピンクノイズ信号の何れか１つの信号に基づいた振動であり、
測定対象の樹木に振動を与える部位と該振動を検出する部位とが、樹木の平断面の中心点に対してほぼ対象の位置に設定されており、
算出される特性データが、第２共鳴周波数及び第３共鳴周波数、並びに第２共鳴周波数に対する第３共鳴周波数の比であることを特徴とする樹木の特性測定方法。
【００１１】
請求項５では、
算出された第２共鳴周波数及び第３共鳴周波数から振動が測定対象の樹木を伝わる速さである振動速度を算出する請求項４に記載の樹木の特性測定方法とする。
請求項６では、
測定対象の樹木に与えられる振動をモニターし、検出された振動の信号とモニターされた振動の信号との位相の差を算出する請求項４または５に記載の樹木の特性測定方法とする。
【発明の効果】
【００１６】
本発明によれば、振動付与手段によって所定の時間継続して測定対象の樹木に振動が与えられ、測定対象の樹木を伝わった振動が振動検出手段によって検出される。そして、検出された振動から得られた振動伝達特性に基づいて樹木の内部情報に関する特性データが算出される。
【００１７】
これにより、測定対象の樹木から精度の高い測定を行うために必要な特性データを得るのに必要な時間継続して振動を与えることが可能となるので、精度の高い測定が可能となる。また、測定対象の樹木に振動を与えて測定を行うため樹木の幹に穴を開ける必要はないので、穴を開けたことが原因で起こる樹木の病原菌への感染を防止することができる。
【００１８】
また、測定対象の樹木の一部にエネルギーがほぼ一定で、かつ、周波数が100Hzから10KＨｚまでの範囲でスイープする低周波信号、ホワイトノイズ信号、ピンクノイズ信号の何れかの信号に基づいた振動を与えることができる。また、測定対象の樹木に与えるスイープする低周波信号の周波数の上限を10ＫＨｚとすることで、該周波数を超えると振動の振幅が小さくなり振動を検出できなくなる恐れを未然に防ぐことができ、その結果エネルギー効率等の高い測定が可能となる。
【００１９】
また、振動付与手段によって振動を与える部位と振動検出手段によって振動を検出する部位とが樹木の平断面の中心点に対してほぼ対称の位置に設定されるので、付与された振動によって励起される円周モードの振動を効率よく得ることができる。
また、第２共鳴周波数及び第３共鳴周波数、並びに第２共鳴周波数に対する第３共鳴周波数の比を特性データとして算出することができる。
【００２０】
また、振動速度を算出することができる。
【００２１】
また、モニターされた信号と検出された振動の信号との位相の差を得ることができる。
本発明にかかる樹木の特性測定方法によれば、測定対象の樹木から精度の高い測定を行うために必要な特性データを得るのに必要な時間継続して振動を与えることが可能となるので、精度の高い測定が可能となる。また測定対象の樹木の幹に穴を開ける必要がないので、穴を開けたことが原因による該樹木が病原菌等に感染することを防ぐことができる。
【００２２】
また、測定対象の樹木の一部にエネルギーがほぼ一定で、かつ、周波数が100Hzから10KＨｚまでの範囲でスイープする低周波信号、ホワイトノイズ信号、ピンクノイズ信号の何れかの信号に基づいた振動を与えることができる。
【００２３】
また、振動付与手段によって振動を与える部位と振動検出手段によって振動を検出する部位とが樹木の平断面の中心点に対してほぼ対称な位置に設定されるので、付与された振動によって励起される円周モードの振動を効率よく得ることができる。
また、第２共鳴周波数及び第３共鳴周波数、並びに第２共鳴周波数に対する第３共鳴周波数の比を算出することができる。
【００２４】
また、振動速度の算出が可能となる。
また、モニターされた信号と検出された振動の信号との位相の差を得ることができる。
【発明を実施するための最良の形態】
【００２５】
以下、本願請求項に係る発明（以下では、単に「本発明」という）を実施するための最良の形態について図面を参照しながら説明する。
（全体構成）
図１は、本発明に係る樹木の特性測定装置１の概略構成、及び樹木の特性測定装置１をイヌエンジュ樹木Tに設置した状態の一例を示した図である。
図１に示すように、樹木の特性測定装置１は、振動発信部２、第一アンプ３、振動付与部４，振動モニター５、振動検出部６、第二アンプ７、特性データ算出部８、データ保存部９及び表示部１０を備えている。振動発信部２は第一アンプ３と、第一アンプ３は振動付与部４と、振動付与部４は振動モニター５と、振動モニター５は特性データ算出部８とそれぞれ接続されている。
【００２６】
また、振動検出部６は第二アンプ７と、第二アンプ７は特性データ算出部８と、特性データ算出部８はデータ保存部９と表示部１０にそれぞれ接続されている。なお、振動発信部２と振動付与部４とで振動付与手段が構成されている。
【００２７】
振動発信部２は、100Hzから10kHzまでスイープするサイン波信号を１秒以上１０秒以下の範囲内で予め定められた時間継続して発信させ、第一アンプ３に供給する。
第一アンプ３は増幅器であり、振動発信部２から供給された信号を増幅して振動付与部４へ供給する。
振動付与部４は、供給された信号に基づいて振動を発生させ、イヌエンジュ樹木Tに振動を与える。
【００２８】
振動モニター５は、振動付与部４によってイヌエンジュ樹木Tに付与された振動をモニターし、モニターした振動の信号（以下では、モニター信号という）を特性データ算出部８に送る。
振動検出部６は、イヌエンジュ樹木Tに与えられ、該樹木を伝達してきた振動を検出し、検出された振動の信号（以下では、振動信号という）を第二アンプ７に送る。
【００２９】
第二アンプ７は増幅器であり、振動検出部６からの振動信号を増幅して特性データ算出部８に送る。
特性データ算出部８は、送られてきた振動信号に対してフーリエ解析等の処理を行うことによって振動伝達特性を得て該振動伝達特性に基づいて樹木の内部情報（この実施形態では、幹内部の腐朽の程度や節の有無等についての情報）に関する特性データを算出する。
本実施形態では、特性データとして、振動スペクトル、第２共鳴周波数、第３共鳴周波数、第２共鳴周波数に対する第３共鳴周波数の比、及び振動信号とモニター信号との位相差等を算出するが、詳しくは後述する。
【００３０】
データ保存部９は、ユーザ（測定実施者）によって測定されたイヌエンジュ樹木Tの直径データ（または、円周データ）や正常なイヌエンジュ樹木の振動速度等を保存する。これら保存データは、必要に応じて特性データ算出部８に送られ、特性データを算出する際等に用いられる。
表示部１０は、特性データ算出部８によって算出された特性データ等を表示する。
【００３１】
次に、樹木の特性測定装置１のイヌエンジュ樹木Tへの設置方法を説明する。
図１に示すように、地面から上方約１メートルの地点にある幹の表面の一部に振動付与部４を設置する。また、振動検出部６を幹の表面の他の一部（振動付与部４から１８０度離れた同心円上の位置）に設置する。なお、以下では振動付与部４が振動を与える部位を加振点といい、また振動検出部６が振動を検出する部位を検出点という。
【００３２】
また、振動検出部６を振動付与部４から１８０度離れた同心円上の位置に設置するのは以下の理由からである。
イヌエンジュ樹木Tは振動付与部４によって振動が与えられると、垂直モード振動（樹木の軸に沿った伸び縮み振動）、曲げモード振動、ねじれモード振動、円周モード振動（赤道面での収縮膨張）の４つの振動モードが励起されるが、本発明では、このうち円周モード振動に着目する。ここで、円周モードとは樹木あるいは枝の側面の一点を振動させたとき、図２において実線で示したような振動モードのことである。この円周モードの振動強度は、加振点Aから９０度おきの点B、点C、点Dの各点で最も大きくなる。従って、A点を振動させた場合には、点B、点C、点Dで振動を検出すると、樹木の測定箇所の上下の幹の状態や枝や果実の状態に影響を受けない振動信号を得ることができる。
【００３３】
次に、樹木の特性測定装置１を用いて樹木の幹内部の特性を測定する手順を、図３に示すフローチャートを用いて説明する。
まず、ユーザは測定対象のイヌエンジュ樹木Tの直径（または、円周）を測定する。
ユーザによって測定された直径データ等は、入力部（図示せず）を介してデータ保存部９に保存される（ステップS1）。
【００３４】
振動発信部２は、スイープサイン波信号を所定の時間継続して発信させ、該信号は第一アンプ３によって増幅された後、振動付与部４に供給され、イヌエンジュ樹木Tに振動が付与される（ステップＳ２）。なお、この際、付与された振動が振動モニター５によってモニターされ、モニター信号が特性データ算出部８に送られる。
【００３５】
次に、イヌエンジュ樹木Tの内部を伝達してきた振動は、振動検出部６によって検出され（ステップS３）、第二アンプ７で増幅された後、特性データ算出部８に送られる。  
特性データ算出部８は、送られてきた振動信号等に対してフーリエ解析等の所定の処理を行うことにより振動伝達特性を得て、該振動伝達特性に基づいて特性データを算出する（ステップ４）。
最後に、表示部１０に特性データを表示し（ステップS５）、処理を終了する。
【００３６】
次に、樹木の特性測定装置１を用いて、正常な（幹内部に腐朽や節が存在しない）イヌエンジュ樹木Tに対して測定を行うことにより、正常なイヌエンジュ樹木の特性データを示す。なお、これらの特性データ等は、正常なイヌエンジュ樹木Tの特性データとしてデータ保存部９に保存され、以下の実施例で利用される。
【００３７】
図４の上図は、直径１５cmのイヌエンジュ樹木Tに振動を与え、振動信号に対してフーリエ解析を行うことにより算出した振動スペクトルのグラフである。また図４の下図は振動信号とモニター信号との位相差を示すグラフ（横軸は周波数、縦軸は位相差）である。  なお、位相差の符号が“−”の場合は振動信号の位相がモニター信号の位相よりも遅れていることを表し、また位相差の符号が“＋”の場合は、振動信号の位相がモニター信号の位相よりも進んでいることを表す。
【００３８】
図４に示すように、第２共鳴ピークは位相差が−90度の地点２１で出現し、周波数は約3400Hzである。また、第３共鳴ピークはそれよりもさらに180度位相が進んだところに出現し、グラフ上では＋90度の地点２２である。さらに、第４共鳴ピークは、さらに１８０度進んだところに出現し、グラフ上では、−90度の地点２３のところである。なお、前記した共鳴ピークと位相差との関係は、測定対象の樹木の直径に関わらず成り立つ。例えば、直径が30cmのイヌエンジュ樹木では、直径15cmの場合と同様に第２共鳴ピークは位相差が−90度の地点に出現し、その時の周波数は約1700Hzである。
【００３９】
次に、各共鳴周波数から振動速度の算出方法を示す。
直径20センチのイヌエンジュ樹木Ｔの第２共鳴周波数が約2500Hzである場合、第２共鳴周波数は円周上の２波長入ることが分かっているので、
V2＝（0.628/2）×2500＝785m/s
として振動速度V2が計算できる。
【００４０】
また、第３共鳴周波数が約3800Hzの場合には、第３共鳴周波数は円周上に３波長分入ることから、
V3＝(0.628/3）×3800＝795m/s
として振動速度V3が計算できる。
【００４１】
一般的に、第n共鳴周波数がRHzの場合には、振動速度（Vn）は、円周をLとすると、
【数１】
0005531251.tif 000002
として求めることができる。
【００４２】
図５は、様々な直径のイヌエンジュ樹木Tに対して測定を行い振動速度V2、V3及びV4それぞれの回帰直線式を求めてグラフ上に表した図である。また、図６は上記回帰直線の直線式及び相関係数を表した図である。
【００４３】
直線３０は、第２共鳴周波数から算出した振動速度V2の回帰直線を表しており、図６に示すように該回帰直線の式は、
y＝156.951＋32.559x
であり、また相関係数は
【数２】
0005531251.tif 000003
である。
【００４４】
直線３１は、３共鳴周波数から算出した振動速度V３の回帰直線を表しており、図６に示すように該回帰直線の式は、
ｙ＝170.31＋32.588x
であり、また相関係数は
【数３】
0005531251.tif 000004
である。
【００４５】
直線３２は、第4共鳴周波数から算出した振動速度（V３）の回帰直線を表しており、図６に示すように該回帰直線の式は、
y＝188.05＋30.098x
であり、また相関係数は
【数４】
0005531251.tif 000005
である。
【００４６】
以上示したように、振動速度V2、V3及びV4の回帰直線のいずれもが高い相関率を示している。従って、直径の異なる、換言すれば樹齢の異なるイヌエンジュ樹木Tの振動速度V2、V3及びV4をこれら回帰直線から求めることができる。
【００４７】
さらに、以上の事実から、イヌエンジュ樹木Tに関して以下の（i）〜（iii）のことが推察される。
（i）もし、様々な直径をもつ樹木、即ち大きさや樹齢の異なる樹木の振動速度が一定であると仮定するならば、横軸に直径を縦軸に振動速度をとったグラフは、X軸に平行になるはずである。ところが、様々な直径をもつイヌエンジュ樹木Tに対して測定を行い、データを取ると、図５に示したグラフのように右上がりのグラフとなる。即ち、円周が大きくなると振動速度が上昇している。これは、直径の小さな樹木、換言すれば樹齢の若い樹木ほど振動速度が低いことを表している。
【００４８】
一般的に、振動速度とヤング率との間には次のような関係がある。
【数５】
0005531251.tif 000006
（ただし、Ｖ：振動速度  Ｅ：ヤング率  ρ：密度）
これから、密度が同じなら若い樹木のほうが樹齢の高いものよりヤング率が低いことがわかる。
【００４９】
（ii）一般的に、第２共鳴周波数は樹木内部の中心付近の情報を、第３共鳴周波数はそれよりも樹皮に近い周辺部分の情報を反映することが知られている。
図５において、第２、第３及び第４共鳴周波数の値から計算した振動速度がそれぞれほぼ同じであるということは、イヌエンジュでは中心部に存在する心材と周辺に存在する辺材の性質が同じであることを意味している。
【００５０】
（iii）第２共鳴周波数、第３共鳴周波数及び第４共鳴周波数それぞれから算出した振動速度がよく一致しているということは、ｆ３/ｆ２が1.5に近く、ｆ４/ｆ２が2.0に近いことを同時に意味している。これから、ｆ３/ｆ２が1.5に近いとき、ポアソン比は0.5なので、イヌエンジュの内部のポアソン比は約0.5であることが推定できる。
【００５１】
以上のように、正常な（腐朽や節のない）イヌエンジュ樹木Tの第２共鳴周波数、第３周波数及び第４共鳴周波数に基づいて振動速度等の特性データを算出し、これと測定対象のイヌエンジュ樹木Tの特性データとを比較することにより測定対象のイヌエンジュ樹木Ｔの内部の特性を知ることができる。
【００５２】
（実施例１）
第１実施例として、第２、第３及び第４共鳴周波数それぞれから振動速度V2、V3及びV4を算出することにより、イヌエンジュ樹木Tの内部の腐朽の程度を測定する方法を説明する。なお、データ保存部９には、測定対象のイヌエンジュ樹木Ｔと同じ直径を有する正常なイヌエンジュ樹木Ｔの振動速度が保存されている。
【００５３】
測定対象のイヌエンジュ樹木Tに樹木の特性測定装置１を設置し、振動付与部４と振動検出部６、換言すれば加振点と受振点とを同方向に３０度ずつずらして計１２回測定を行い、赤道面上の平面的な樹木の特性データを１２点から得る。
図７及び図８は、１２点での特性データを示した図あり、また右端の写真は測定したイヌエンジュ樹木Tの赤道面の断面である。
【００５４】
図７及び図８に示す左の３つの円グラフは、データ保存部９に保存されている正常なイヌエンジュ樹木Tの振動速度V2、V3及びV4と比べて、測定対象のイヌエンジュ樹木Tの振動速度がどれだけ低いかをΔＶ２、ΔＶ３及びΔＶ４として表したものである。例えば、円グラフの一番外側の円周は、測定対象のイヌエンジュ樹木の振動速度が正常なイヌエンジュの振動速度と比較して400ｍ/s低いことを示す。従って、測定対象のイヌエンジュ樹木Tが正常であるなら、円グラフは中心付近でまとまる。
【００５５】
樹木Ａ及びＢは、正常なイヌエンジュ樹木Ｔであり、図７に示すように樹木Ａ及びＢの円グラフは中心付近でまとまっていることがわかる。
一方、樹木Ｃは、樹木内部に腐朽がわずかに存在するものであり、樹木Ａ及びＢの円グラフと比べてわずかながら円グラフが拡大する方向にあることが見て取れる。即ち、振動速度Ｖ２、Ｖ３及びＶ４の値は、正常なイヌエンジュ樹木Ｔのそれよりも小さくなっている。
【００５６】
図８に示す樹木D、E及びFは、内部に大きな腐朽を持つイヌエンジュ樹木Tであり、これらの円グラフのいずれもが樹木Ｃと比べてもさらに円グラフが広がっていることが見て取れる。即ち、振動速度V2、V3及びV4の値は、樹木Ｃのそれよりもさらに小さくなる。
【００５７】
以上から、幹内部の腐敗の程度が進むにつれて、円グラフが広がっていく、即ち振動速度が次第に小さくなることがわかる。
【００５８】
これより、正常なイヌエンジュ樹木Tと測定対象のイヌエンジュ樹木Tとの振動速度V2、V3及びV4を比較することにより、換言すれば円グラフの広がり具合から測定対象のイヌエンジュ樹木Tの腐朽の程度を知ることができる。
【００５９】
（実施例２）
次に、第２実施例として第２共鳴周波数に対する第３共鳴周波数の比（ｆ３/ｆ２）、及び第２共鳴周波数に対する第４共鳴周波数の比（ｆ４/ｆ２）を特性データとして算出し、該特性データから測定対象のイヌエンジュ樹木Tの内部の腐朽の有無を測定する方法を説明する。
【００６０】
実施例１と同様に、測定対象のイヌエンジュ樹木Tに対して加振点と受振点を同方向に３０度ずつずらして１２回測定を行い、赤道面上の平面的な樹木の特性データを１２点から得る。
【００６１】
図９及び図１０は、赤道面上の平面的な情報を１２点で測定した結果を示した図である。また、右端の写真は、測定したイヌエンジュ樹木Tの赤道面の断面である。
樹木A及びBは、正常な（腐朽のない）イヌエンジュ樹木Tであり、樹木Ａ及びＢの円グラフから読み取れるように、ｆ３/ｆ２の値が約1.5であり、またｆ４/ｆ２の値は約2.0である。
【００６２】
一方、樹木Ｃは、樹木内部の上方の一部に不朽と下部に節が存在するイヌエンジュ樹木Ｔである。円グラフに示されるように、ｆ３/ｆ２の値が1.5から、またｆ４/ｆ２の値は2.0から外れる方向にあることがわかる。
さらに、樹木Ｄ、Ｅ及びＦは、いずれも樹木内部に大きな腐朽が存在するイヌエンジュ樹木Ｔである。いずれの樹木の円グラフもｆ３/ｆ２の値が1.5から、またｆ４/ｆ２の値が2.0から著しくはずれている。
【００６３】
以上より、正常なイヌエンジュ樹木Tのｆ３/ｆ２の値は1.5程度、またｆ４/ｆ２の値は2.0程度となる。一方、内部に腐朽のあるイヌエンジュ樹木Tのｆ３/ｆ２の値は1.5から著しくはずれ、またｆ４/ｆ２の値も2.0から著しくはずれることがわかる。
【００６４】
このことを用いることにより、第２共鳴周波数に対する第２共鳴周波数の比（ｆ３/ｆ２）、第２共鳴周波数に対する第４共鳴周波数の比（ｆ４/ｆ２）から内部の腐朽の程度を知ることができる。
【００６５】
（実施例３）
次に、第３実施例として測定対象のイヌエンジュ樹木Ｔの幹の内部に節があるか否かの測定をする方法を説明する。
本実施例においても、実施例１及び実施例２と同様にして測定対象のイヌエンジュ樹木Tに樹木の特性測定装置１を設置し、加振点と受振点とを同方向に３０度ずつずらして１２回測定を行い、赤道面上の平面的な樹木の特性データ（本実施例では、振動速度）を１２点から得る。
【００６６】
図１１に示す左の３つの円グラフは、正常なイヌエンジュ樹木Tの振動速度V2、V3及びV4と比べて、測定対象のイヌエンジュ樹木Tの振動速度がどれだけ低いかをΔV2、ΔV3、ΔV４として表したものである。
樹木A及びBは内部に節のない正常なイヌエンジュ樹木Ｔである。
図１１に示すように、樹木A及びBの円グラフは中心にまとまっている。換言すれば、測定対象のイヌエンジュ樹木Ｔの振動速度は、正常なイヌエンジュ樹木Ｔのそれとほぼ同じである。
【００６７】
一方、内部に節のあるイヌエンジュ樹木C及びDでは、ΔV2の値が大きくなっている。換言すれば、内部に節のあるイヌエンジュ樹木Ｔの振動速度Ｖ２は、正常なイヌエンジュ樹木Ｔのそれと比べて遅くなっている。
【００６８】
以上のことから、測定対象のイヌエンジュ樹木Ｔの振動速度V2と正常なイヌエンジュ樹木Ｔの振動速度Ｖ２とを比較することで、測定対象のイヌエンジュ樹木Tの内部に節があるか否かの測定が可能となる。
【００６９】
（実施例４）
次に、第４実施例としてｆ３/ｆ２の値とｆ４/ｆ２の値とから測定対象のイヌエンジュ樹木Ｔの幹の内部に節があるか否かの測定をする方法を説明する。
測定対象のイヌエンジュ樹木Tに樹木の特性測定装置１を設置し、実施例１，２及び３と同様にして加振点と受振点とを同方向に３０度ずつずらして１２回測定を行い、赤道面上の平面的な樹木の特性データ（本実施例では、ｆ３/ｆ２の値及びｆ４/ｆ２の値）を１２点から得る。
【００７０】
樹木A及びBは、幹内部に節のない正常なイヌエンジュ樹木Ｔであり、これらのｆ３/ｆ２の値はいずれも1.5程度であり、またｆ４/ｆ２の値も2.0程度である。
一方、幹内部に節のある樹木C及びDでは、いずれもｆ３/ｆ２の値が1.5よりも大きく下回り、まｆ４/ｆ２の値も2.0から大きく下回っている。
【００７１】
以上より、測定対象のイヌエンジュ樹木Ｔの幹内部に節がなければｆ３/ｆ２の値は約1.5となり、また４/ｆ２の値は約2.0となる一方、幹内部に節が存在するイヌエンジュ樹木Ｔでは、ｆ３/ｆ２の値が1.5よりも著しく外れ、またｆ４/ｆ２の値も2.0を著しく外れることがわかる。
このことを用いることで、共鳴周波数の比を用いて測定対象のイヌエンジュ樹木Tの幹内部に節があるか否かの測定が可能となる。
【００７２】
（実施例５）
次に、本発明に係る第５実施例を、図面を参照しながら説明する。
本実施例は、振動信号の位相とモニター信号の位相との差から幹の内部の腐朽の程度を測定するものである。なお、本実施例では直径が約１２cmのイヌエンジュ樹木Tに対して測定を行う。
【００７３】
図１３は、正常なイヌエンジュ樹木Ｔと内部に欠陥のあるイヌエンジュ樹木Ｔとに対して測定を行い、振動スペクトル及び振動信号とモニター信号との位相差を求めた図であり、左に測定対象のイヌエンジュ樹木Tの赤道断面図が、右上に振動信号の振動スペクトルが、また右下に振動信号とモニター信号との位相の差を示すフラフが示されている。なお、前述したように、第２共鳴ピークは位相差が−９０度の地点に、第３共鳴ピークは位相差が＋９０度の地点に、また第４共鳴ピークは次の位相差が−９０度地点にそれぞれ出現する。
【００７４】
樹木Aは正常なイヌエンジュ樹木Ｔであり、図１３からわかるように、第２共鳴ピークは周波数3000Hz付近に、第３共鳴ピークは周波数4500Hzの付近に、また第４共鳴ピークは周波数6000Hz付近にそれぞれ出現している。
【００７５】
中心部に腐朽がある樹木Ｂでは、樹木Ａと比較して位相差の変化が大きくなる。即ち、第２共鳴ピークは周波数2000Hzの付近に、第３共鳴ピークは周波数4000Hzの付近に、また第４共鳴ピークは周波数4900Hzの付近にそれぞれ出現している。
【００７６】
中心部に大きな空洞のある樹木Cでは、さらに位相差の変化が大きくなり、第２共鳴ピークは周波数が1500Hz付近に、第３共鳴ピークは周波数が1800Hz付近に、また第４共鳴ピークは2000Hz付近にそれぞれ出現している。
【００７７】
以上から、幹内部の腐朽が存在すると周波数に対する位相差の変化が大きくなり、また腐朽の程度が進むほど、位相差の変化が大きくなることがわかる。
このことを用いることにより、振動信号とモニター信号との位相差の変化に基づいて測定対象のイヌエンジュ樹木Ｔの幹内部の腐朽の程度の測定が可能となる。
【００７８】
以上のように、本発明は以下のような効果を奏する。
一般的に、測定対象の樹木に与える振動の周波数の範囲が広ければ広いほどより詳細なデータが得られることが知られている。
【００７９】
ところが、実際には、振動検出機器の性能等から測定対象の樹木に与える振動の周波数が10KHzを超えると、振動の振幅が小さくなり与えた振動を検出できない恐れがある。そのため、周波数10ＫＨｚ以上の周波数の振動を与えることはエネルギー効率の観点等からみて問題がある場合が多い。
【００８０】
このことから、本実施例においては、スイープサイン波を測定対象の樹木に与える際に、周波数の上限を10KHzとすることによって測定時間の節約やエネルギー効率の高い測定が可能となる。
【００８１】
なお、樹木の幹が細くなればなるほど、共鳴周波数が高くなることが知られている。即ち、幹の直径が小さい樹木を測定するには高い周波数を与える必要があり、例えば直径６cmの樹木対しては周波数20KHzとする必要がある。
【００８２】
また、測定対象の樹木に対して１秒から１０秒以下の所定の時間継続して振動を与えるため、振動をわずか50ミリ秒しか与えることができない従来の打撃による方法に比べて、単純に収録できる情報量が２０倍から２００倍となる。これにより、打撃による方法と比較して精度が２０から２００倍以上に上がるので、正確な共鳴周波数等の算出が可能となる。
【００８３】
また、測定対象の樹木に対して振動を加えて測定を行うので、測定対象の樹木を非破壊で、幹内部の特性を測定することが可能となる。
また、本実施例では、円周モードに基づいて測定するため、直径（円周）の情報があれば、正確に樹木内部の情報を伝達する振動速度を計算することができる。
【００８４】
また、振動付与部によって付与された振動をモニターすることにより、振動信号とモニター信号との位相の差を算出する。これにより、振動信号とモニター信号との位相差の変化に基づいて樹木内部の腐朽の程度の測定が可能となる。
【００８５】
なお、本実施形態では、スイープするサイン波信号を用いたが、これに限定されず、例えばホワイトノイズ信号やピンクノイズ信号を用いてもよい。
また、本実施形態では測定対象の樹木としてイヌエンジュを用いたが、これ以外の樹木に対しても本発明が適用可能であることはいうまでもない。
【００８６】
また、実施例１，２，３及び４では、加振点と検出点とを３０度ずつずらして樹木の１２点から特性データを得るものとしたが、これには限定されないことは言うまでもない。例えば、加振点と検出点とを１５度ずつずらして樹木の２４点から特性データを得ることで、測定対象の樹木のより詳細な内部情報を得ることができる。
【産業上の利用可能性】
【００８７】
森林等の樹木の内部品質の判断の用途に広く用いることができる。
例えば、用途の一例としては、以下のようなものが挙げられる。
1960年代に日本の各地の山林で始まった大規模な国有林の植林事業は、50年を経た2010年には、材として切り出される予定である。
【００８８】
一般的に、材を購入する際、買い手は樹木１本１本に対して値段を付けるのではなく山林全体に対して値段を付ける。
材の買い手は購入対象となる山林全体の評価を行うため、購入対象の山林に属する樹木の中から１本から数本切り出し、切り出した樹木の内部の特性によって山林全体を評価する。そのため、１本でも病中害や腐朽など欠陥のある樹木を見つけると、他の切り出されていない材がいくらすぐれていてもその山林全体の評価が低く見積もられ、国有財産の正当な評価がなされない恐れがある。
【００８９】
本発明を用いれば山林の材に対し伐採することなく山林の樹木１本１本に対して幹内部の腐朽等の欠陥を測定することができるので、国有財産の正当な評価が可能となる。
【００９０】
また、木々の間伐を行う際にも本発明は有用である。即ち、立ち木の中には、心材と辺材の比率が変動したり、心材が中心から外れているものがある。心材の比率が高く、中心に位置する立ち木は有用である。本発明を用いれば、建築材として有用な立木を残して、それ以外を間伐することが可能となり、最終的には材の品質を高めることができる。
【図面の簡単な説明】
【００９１】
【図１】樹木の特性測定装置、及び樹木の特性測定装置が樹木に設置された状態を示した図である。
【図２】円周モードを説明するための図である。
【図３】測定の手順を示したフローチャートである。
【図４】周波数、共鳴ピーク及び位相差の関係を示した図である。
【図５】樹木の直径と振動速度の回帰直線との関係を表した図である。
【図６】回帰直線の式と相関係数とを表した図である。
【図７】振動速度の差とイヌエンジュ幹の腐朽の関係を示した図である。
【図８】図７の続きの図である。
【図９】共鳴周波数比とイヌエンジュ幹の腐朽との関係を示した図である。
【図１０】図９の続きの図である。
【図１１】振動速度の差とイヌエンジュ幹の節の有無との関係を示した図である。
【図１２】共鳴周波数比とイヌエンジュ幹の節の有無との関係を示した図である。
【図１３】位相差の変化率とイヌエンジュの腐朽との関係を示した図である。
【符号の説明】
【００９２】
１・・・樹木の特性測定装置
２・・・振動発信部
３・・・第一アンプ
４・・・振動付与部
５・・・振動モニター
６・・・振動検出部
７・・・第二アンプ
８・・・特性データ算出部
９・・・データ保存部
１０・・・表示部
【図１】
0005531251.tif 000007
【図２】
0005531251.tif 000008
【図３】
0005531251.tif 000009
【図４】
0005531251.tif 000010
【図５】
0005531251.tif 000011
【図６】
0005531251.tif 000012
【図７】
0005531251.tif 000013
【図８】
0005531251.tif 000014
【図９】
0005531251.tif 000015
【図１０】
0005531251.tif 000016
【図１１】
0005531251.tif 000017
【図１２】
0005531251.tif 000018
【図１３】
0005531251.tif 000019